(57)【要約】【課題】従来の有機ＥＬ装置では、経時的に表示画像が暗くなっていくことがある。【解決手段】発光層を含む有機層と、前記有機層を挟持する一対の電極とを有する有機ＥＬ装置の駆動方法であって、前記発光層を所定の電流値Ｉ0で発光させたときの電圧値に基づいて、前記有機層の劣化状態を把握し、前記劣化状態にある前記有機層で前記劣化状態よりも前の輝度Ｌ0が得られる電流値Ｉ1と、所定の電流値Ｉ0との差ＩSを補正値として設定し、前記発光層を発光させるときに、前記発光層を発光させるための駆動電流に前記補正値を加算した新たな駆動電流で前記発光層を発光させる。【選択図】図９
2009251333.tif 000002
【特許請求の範囲】
【請求項１】
発光層を含む有機層と、前記有機層を挟持する一対の電極とを有する有機ＥＬ装置の駆動方法であって、
前記発光層を所定の電流値で発光させたときの電圧値に基づいて、前記有機層の劣化状態を把握し、
前記劣化状態にある前記有機層で前記劣化状態よりも前の輝度が得られる電流値と、前記所定の電流値との差を補正値として設定し、
前記発光層を発光させるときに、前記発光層を発光させるための駆動電流に前記補正値を加算した新たな駆動電流で前記発光層を発光させることを特徴とする有機ＥＬ装置の駆動方法。
【請求項２】
前記劣化状態の把握では、前記所定の電流値に対する前記電圧値を、前記有機層の電圧に対する電流特性の劣化特性に照合することによって、前記劣化状態を把握することを特徴とする請求項１に記載の有機ＥＬ装置の駆動方法。
【請求項３】
前記補正値の設定では、前記劣化状態を、前記有機層の電流に対する輝度特性の劣化特性に照合し、
照合した前記輝度特性において、前記所定の電流値での輝度である劣化輝度を把握し、
前記劣化状態よりも前の状態の前記輝度特性において、前記所定の電流値での輝度である劣化前輝度を把握し、
前記劣化輝度が把握された前記輝度特性において、前記劣化前輝度に対応する前記電流値を把握し、
前記所定の電流値と前記電流値との前記差を前記補正値として設定することを特徴とする請求項１又は２に記載の有機ＥＬ装置の駆動方法。
【請求項４】
発光層を含む有機層と、前記有機層を挟持する一対の電極とを有する有機ＥＬ装置の駆動方法であって、
前記発光層を所定の電圧値で発光させたときの電流値に基づいて、前記有機層の劣化状態を把握し、
前記劣化状態にある前記有機層で前記劣化状態よりも前の輝度が得られる電圧値と、前記所定の電圧値との差を補正値として設定し、
前記発光層を発光させるときに、前記発光層を発光させるための駆動電圧に前記補正値を加算した新たな駆動電圧で前記発光層を発光させることを特徴とする有機ＥＬ装置の駆動方法。
【請求項５】
前記劣化状態の把握では、前記所定の電圧値に対する前記電流値を、前記有機層の電圧に対する電流特性の劣化特性に照合することによって、前記劣化状態を把握することを特徴とする請求項４に記載の有機ＥＬ装置の駆動方法。
【請求項６】
前記補正値の設定では、前記劣化状態を、前記有機層の電圧に対する輝度特性の劣化特性に照合し、
照合した前記輝度特性において、前記所定の電圧値での輝度である劣化輝度を把握し、
前記劣化状態よりも前の状態の前記輝度特性において、前記所定の電圧値での輝度である劣化前輝度を把握し、
前記劣化輝度が把握された前記輝度特性において、前記劣化前輝度に対応する前記電圧値を把握し、
前記所定の電圧値と前記電圧値との前記差を前記補正値として設定することを特徴とする請求項４又は５に記載の有機ＥＬ装置の駆動方法。
【請求項７】
前記有機ＥＬ装置には、複数の画素が設定されており、
前記複数の画素には、赤系の色を呈する光を発する前記発光層を有する赤系画素と、緑系の色を呈する光を発する前記発光層を有する緑系画素と、青系の色を呈する光を発する前記発光層を有する青系画素と、が含まれており、
前記劣化状態の把握では、前記赤系画素、前記緑系画素及び前記青系画素のそれぞれごとに前記劣化状態を把握し、
前記補正値の設定では、前記赤系画素、前記緑系画素及び前記青系画素のそれぞれごとに前記補正値を設定することを特徴とする請求項１乃至６のいずれか一項に記載の有機ＥＬ装置の駆動方法。
【請求項８】
発光層を含む有機層と前記有機層を挟持する一対の電極とを有する有機ＥＬ装置の駆動を制御する制御部と、
前記発光層を発光させるときの駆動電流値を示す駆動電流データが格納されたデータ格納部と、
前記発光層を前記駆動電流値で発光させたときの電圧値を検出する電圧検出部と、
前記有機層の電圧に対する電流特性の劣化特性データ、及び前記有機層の電流に対する輝度特性の劣化特性データが保管されたサーバーに向けて、前記電圧値を示す電圧データを送信する送信部と、
前記サーバーが前記電圧値並びに前記電流特性の劣化特性データ及び前記輝度特性の劣化特性データに基づいて、前記有機層の劣化状態を把握し、且つ前記劣化状態にある前記有機層で前記劣化状態よりも前の輝度が得られる電流値と前記駆動電流値との差として算出した補正電流値を、前記サーバーから補正データとして受信する受信部と、を有し、
前記制御部は、前記駆動電流値に前記補正電流値を加算した新たな駆動電流値で、前記有機ＥＬ装置の前記発光層を発光させることを特徴とする電子機器。
【請求項９】
発光層を含む有機層と前記有機層を挟持する一対の電極とを有する有機ＥＬ装置の駆動を制御する制御部と、
前記発光層を発光させるときの駆動電流値を示す駆動電流データが格納されたデータ格納部と、
前記発光層を前記駆動電流値で発光させたときの電圧値を検出する電圧検出部と、
前記有機層の電圧に対する電流特性の劣化特性データ、及び前記有機層の電流に対する輝度特性の劣化特性データが格納されたメモリ部と、を有し、
前記制御部は、
前記電圧値と前記電流特性の劣化特性データとに基づいて、前記有機層の劣化状態を把握し、
前記劣化状態と前記輝度特性の劣化特性データとに基づいて、前記劣化状態にある前記有機層で前記劣化状態よりも前の輝度が得られる電流値と、前記駆動電流値との差を補正電流値として算出し、
前記駆動電流値に前記補正電流値を加算した新たな駆動電流値で、前記有機ＥＬ装置の前記発光層を発光させることを特徴とする電子機器。
【請求項１０】
発光層を含む有機層と前記有機層を挟持する一対の電極とを有する有機ＥＬ装置の駆動を制御する制御部と、
前記発光層を発光させるときの駆動電圧値を示す駆動電圧データが格納されたデータ格納部と、
前記発光層を前記駆動電圧値で発光させたときの電流値を検出する電流検出部と、
前記有機層の電圧に対する電流特性の劣化特性データ、及び前記有機層の電圧に対する輝度特性の劣化特性データが保管されたサーバーに向けて、前記電流値を示す電流データを送信する送信部と、
前記サーバーが前記電流値並びに前記電流特性の劣化特性データ及び前記輝度特性の劣化特性データに基づいて、前記有機層の劣化状態を把握し、且つ前記劣化状態にある前記有機層で前記劣化状態よりも前の輝度が得られる電圧値と前記駆動電圧値との差として算出した補正電圧値を、前記サーバーから補正データとして受信する受信部と、を有し、
前記制御部は、前記駆動電圧値に前記補正電圧値を加算した新たな駆動電圧値で、前記有機ＥＬ装置の前記発光層を発光させることを特徴とする電子機器。
【請求項１１】
発光層を含む有機層と前記有機層を挟持する一対の電極とを有する有機ＥＬ装置の駆動を制御する制御部と、
前記発光層を発光させるときの駆動電圧値を示す駆動電圧データが格納されたデータ格納部と、
前記発光層を前記駆動電圧値で発光させたときの電流値を検出する電流検出部と、
前記有機層の電圧に対する電流特性の劣化特性データ、及び前記有機層の電圧に対する輝度特性の劣化特性データが格納されたメモリ部と、を有し、
前記制御部は、
前記電流値と前記電流特性の劣化特性データとに基づいて、前記有機層の劣化状態を把握し、
前記劣化状態と前記輝度特性の劣化特性データとに基づいて、前記劣化状態にある前記有機層で前記劣化状態よりも前の輝度が得られる電圧値と、前記駆動電圧値との差を補正電圧値として算出し、
前記駆動電圧値に前記補正電圧値を加算した新たな駆動電圧値で、前記有機ＥＬ装置の前記発光層を発光させることを特徴とする電子機器。
【請求項１２】
前記有機ＥＬ装置を有することを特徴とする請求項８乃至１１のいずれか一項に記載の電子機器。
【請求項１３】
発光層を含む有機層と前記有機層を挟持する一対の電極とを有する有機ＥＬ装置の駆動を制御するクライアント装置から、前記クライアント装置が前記発光層を所定の電流値で発光させたときの電圧値を電圧データとして受信する受信部と、
前記有機層の電圧に対する電流特性の劣化特性データ、及び前記有機層の電流に対する輝度特性の劣化特性データが保管されたデータ保管部と、
前記電圧値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電流値と、前記所定の電流値との差を補正電流値として算出する制御部と、
前記補正電流値を補正データとして前記クライアント装置に送信する送信部と、を有することを特徴とするサーバー装置。
【請求項１４】
発光層を含む有機層と前記有機層を挟持する一対の電極とを有する有機ＥＬ装置の駆動を制御するクライアント装置から、前記クライアント装置が前記発光層を所定の電圧値で発光させたときの電流値を電流データとして受信する受信部と、
前記有機層の電圧に対する電流特性の劣化特性データ、及び前記有機層の電圧に対する輝度特性の劣化特性データが保管されたデータ保管部と、
前記電流値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電圧値と、前記所定の電圧値との差を補正電圧値として算出する制御部と、
前記補正電圧値を補正データとして前記クライアント装置に送信する送信部と、を有することを特徴とするサーバー装置。
【請求項１５】
発光層を含む有機層と前記有機層を挟持する一対の電極とを有する有機ＥＬ装置の駆動を制御するクライアント装置と、
前記有機層の電圧に対する電流特性の劣化特性データ、及び前記有機層の電流に対する輝度特性の劣化特性データが保管されたサーバー装置と、を有し、
前記クライアント装置と前記サーバー装置との間でデータの送受信を行う送受信システムであって、
前記クライアント装置は、
前記発光層を発光させるときの駆動電流値を示す駆動電流データが格納されたデータ格納部と、
前記発光層を前記駆動電流値で発光させたときの電圧値を検出する電圧検出部と、
前記電圧値を示す電圧データを、前記サーバー装置に向けて送信する送信部と、
前記サーバー装置から、前記発光層の劣化状態に基づく補正電流値を補正データとして受信する受信部と、
前記有機ＥＬ装置の駆動を制御するときに、前記駆動電流値に前記補正電流値を加算した新たな駆動電流値で前記発光層を発光させる制御部と、を有しており、
前記サーバー装置は、
前記電圧データを受信する受信部と、
前記電流特性の劣化特性データ及び前記輝度特性の劣化特性データが保管されたデータ保管部と、
前記電圧値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電流値と、前記駆動電流値との差を補正電流値として算出する制御部と、
前記補正電流値を補正データとして前記クライアント装置に送信する送信部と、を有していることを特徴とする送受信システム。
【請求項１６】
発光層を含む有機層と前記有機層を挟持する一対の電極とを有する有機ＥＬ装置の駆動を制御するクライアント装置と、
前記有機層の電圧に対する電流特性の劣化特性データ、及び前記有機層の電圧に対する輝度特性の劣化特性データが保管されたサーバー装置と、を有し、
前記クライアント装置と前記サーバー装置との間でデータの送受信を行う送受信システムであって、
前記クライアント装置は、
前記発光層を発光させるときの駆動電圧値を示す駆動電圧データが格納されたデータ格納部と、
前記発光層を前記駆動電圧値で発光させたときの電流値を検出する電流検出部と、
前記電流値を示す電流データを、前記サーバー装置に向けて送信する送信部と、
前記サーバー装置から、前記発光層の劣化状態に基づく補正電圧値を補正データとして受信する受信部と、
前記有機ＥＬ装置の駆動を制御するときに、前記駆動電圧値に前記補正電圧値を加算した新たな駆動電圧値で前記発光層を発光させる制御部と、を有しており、
前記サーバー装置は、
前記電流データを受信する受信部と、
前記電流特性の劣化特性データ及び前記輝度特性の劣化特性データが保管されたデータ保管部と、
前記電流値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電圧値と、前記駆動電圧値との差を補正電圧値として算出する制御部と、
前記補正電圧値を補正データとして前記クライアント装置に送信する送信部と、を有していることを特徴とする送受信システム。
【発明の詳細な説明】
【技術分野】
【０００１】
本発明は、有機ＥＬ装置の駆動方法、電子機器、サーバー装置及び送受信システムに関する。
【背景技術】
【０００２】
従来から、表示装置の１つとして、有機ＥＬ（Electro Luminescence）装置が知られている。
有機ＥＬ装置は、発光層を含む有機層が一対の電極間に介在した有機ＥＬ素子を有している（例えば、特許文献１参照）。
【０００３】
【特許文献１】特開２００７−２４８７０２号公報
【発明の開示】
【発明が解決しようとする課題】
【０００４】
ところで、有機ＥＬ装置では、発光層の発光時間の経過にともなって輝度が低下していくことがある。
つまり、従来の有機ＥＬ装置では、経時的に表示画像が暗くなっていくことがあるという課題がある。
【課題を解決するための手段】
【０００５】
本発明は、上述の課題の少なくとも一部を解決するためになされたものであり、以下の形態又は適用例として実現され得る。
【０００６】
［適用例１］発光層を含む有機層と、前記有機層を挟持する一対の電極とを有する有機ＥＬ装置の駆動方法であって、前記発光層を所定の電流値で発光させたときの電圧値に基づいて、前記有機層の劣化状態を把握し、前記劣化状態にある前記有機層で前記劣化状態よりも前の輝度が得られる電流値と、前記所定の電流値との差を補正値として設定し、前記発光層を発光させるときに、前記発光層を発光させるための駆動電流に前記補正値を加算した新たな駆動電流で前記発光層を発光させることを特徴とする有機ＥＬ装置の駆動方法。
【０００７】
適用例１の駆動方法にかかる有機ＥＬ装置は、発光層を含む有機層と、有機層を挟持する一対の電極とを有している。
適用例１の駆動方法では、発光層を所定の電流値で発光させたときの電圧値に基づいて、有機層の劣化状態を把握する。次に、その劣化状態にある有機層でこの劣化状態よりも前の輝度が得られる電流値と、所定の電流値との差を補正値として設定する。そして、発光層を発光させるときに、発光層を発光させるための駆動電流に補正値を加算した新たな駆動電流で発光層を発光させる。
この駆動方法では、駆動電流を劣化状態よりも前の状態での輝度が得られる電流値に近づけることができるので、輝度の劣化状態を補いやすくすることができる。このため、有機ＥＬ装置の表示画像を明るく維持しやすくすることができる。
【０００８】
［適用例２］上記の有機ＥＬ装置の駆動方法であって、前記劣化状態の把握では、前記所定の電流値に対する前記電圧値を、前記有機層の電圧に対する電流特性の劣化特性に照合することによって、前記劣化状態を把握することを特徴とする有機ＥＬ装置の駆動方法。
【０００９】
適用例２では、劣化状態の把握において、所定の電流値に対する電圧値を、有機層の電圧に対する電流特性の劣化特性に照合することによって、劣化状態を把握する。この駆動方法では、所定の電流値に対する電圧値を、有機層の電圧に対する電流特性の劣化特性に照合するので、正確な劣化状態を把握しやくすることができる。
【００１０】
［適用例３］上記の有機ＥＬ装置の駆動方法であって、前記補正値の設定では、前記劣化状態を、前記有機層の電流に対する輝度特性の劣化特性に照合し、照合した前記輝度特性において、前記所定の電流値での輝度である劣化輝度を把握し、前記劣化状態よりも前の状態の前記輝度特性において、前記所定の電流値での輝度である劣化前輝度を把握し、前記劣化輝度が把握された前記輝度特性において、前記劣化前輝度に対応する前記電流値を把握し、前記所定の電流値と前記電流値との前記差を前記補正値として設定することを特徴とする有機ＥＬ装置の駆動方法。
【００１１】
適用例３では、補正値の設定において、劣化状態を、有機層の電流に対する輝度特性の劣化特性に照合する。照合した輝度特性において、所定の電流値での輝度である劣化輝度を把握する。劣化状態よりも前の状態の輝度特性において、所定の電流値での輝度である劣化前輝度を把握する。そして、劣化輝度が把握された輝度特性において、劣化前輝度に対応する電流値を把握する。そして、この電流値と所定の電流値との差を補正値として設定する。なお、劣化輝度の把握と、劣化前輝度の把握とは、いずれが先でも後でもかまわない。
この駆動方法では、劣化状態を輝度特性の劣化特性に照合し、照合した輝度特性から劣化輝度を把握するので、劣化状態にある有機層の所定の電流値での輝度を正確に把握しやすくすることができる。また、劣化状態よりも前の状態の輝度特性から劣化前輝度を把握し、劣化輝度が把握された輝度特性から劣化前輝度に対応する電流値を把握するので、この電流値と所定の電流値との差を、劣化前輝度と劣化輝度との差に対応させることができる。そして、この電流値と所定の電流値との差を補正値として設定するので、劣化前輝度と劣化輝度との差に応じた補正値を設定することができる。これにより、有機ＥＬ装置の有機層の劣化輝度を劣化前輝度に近づけやすくすることができる。このため、有機ＥＬ装置の表示画像を明るく維持しやすくすることができる。
【００１２】
［適用例４］発光層を含む有機層と、前記有機層を挟持する一対の電極とを有する有機ＥＬ装置の駆動方法であって、前記発光層を所定の電圧値で発光させたときの電流値に基づいて、前記有機層の劣化状態を把握し、前記劣化状態にある前記有機層で前記劣化状態よりも前の輝度が得られる電圧値と、前記所定の電圧値との差を補正値として設定し、前記発光層を発光させるときに、前記発光層を発光させるための駆動電圧に前記補正値を加算した新たな駆動電圧で前記発光層を発光させることを特徴とする有機ＥＬ装置の駆動方法。
【００１３】
適用例４の駆動方法にかかる有機ＥＬ装置は、発光層を含む有機層と、有機層を挟持する一対の電極とを有している。
適用例４の駆動方法では、発光層を所定の電圧値で発光させたときの電流値に基づいて、有機層の劣化状態を把握する。次に、その劣化状態にある有機層でこの劣化状態よりも前の輝度が得られる電圧値と、所定の電圧値との差を補正値として設定する。そして、発光層を発光させるときに、発光層を発光させるための駆動電圧に補正値を加算した新たな駆動電圧で発光層を発光させる。
この駆動方法では、駆動電圧を劣化状態よりも前の状態での輝度が得られる電圧値に近づけることができるので、輝度の劣化状態を補いやすくすることができる。このため、有機ＥＬ装置の表示画像を明るく維持しやすくすることができる。
【００１４】
［適用例５］上記の有機ＥＬ装置の駆動方法であって、前記劣化状態の把握では、前記所定の電圧値に対する前記電流値を、前記有機層の電圧に対する電流特性の劣化特性に照合することによって、前記劣化状態を把握することを特徴とする有機ＥＬ装置の駆動方法。
【００１５】
適用例５では、劣化状態の把握において、所定の電圧値に対する電流値を、有機層の電圧に対する電流特性の劣化特性に照合することによって、劣化状態を把握する。この駆動方法では、所定の電圧値に対する電流値を、有機層の電圧に対する電流特性の劣化特性に照合するので、正確な劣化状態を把握しやくすることができる。
【００１６】
［適用例６］上記の有機ＥＬ装置の駆動方法であって、前記補正値の設定では、前記劣化状態を、前記有機層の電圧に対する輝度特性の劣化特性に照合し、照合した前記輝度特性において、前記所定の電圧値での輝度である劣化輝度を把握し、前記劣化状態よりも前の状態の前記輝度特性において、前記所定の電圧値での輝度である劣化前輝度を把握し、前記劣化輝度が把握された前記輝度特性において、前記劣化前輝度に対応する前記電圧値を把握し、前記所定の電圧値と前記電圧値との前記差を前記補正値として設定することを特徴とする有機ＥＬ装置の駆動方法。
【００１７】
適用例６では、補正値の設定において、劣化状態を、有機層の電圧に対する輝度特性の劣化特性に照合する。照合した輝度特性において、所定の電圧値での輝度である劣化輝度を把握する。劣化状態よりも前の状態の輝度特性において、所定の電圧値での輝度である劣化前輝度を把握する。そして、劣化輝度が把握された輝度特性において、劣化前輝度に対応する電圧値を把握する。そして、この電圧値と所定の電圧値との差を補正値として設定する。なお、劣化輝度の把握と、劣化前輝度の把握とは、いずれが先でも後でもかまわない。
この駆動方法では、劣化状態を輝度特性の劣化特性に照合し、照合した輝度特性から劣化輝度を把握するので、劣化状態にある有機層の所定の電圧値での輝度を正確に把握しやすくすることができる。また、劣化状態よりも前の状態の輝度特性から劣化前輝度を把握し、劣化輝度が把握された輝度特性から劣化前輝度に対応する電圧値を把握するので、この電圧値と所定の電圧値との差を、劣化前輝度と劣化輝度との差に対応させることができる。そして、この電圧値と所定の電圧値との差を補正値として設定するので、劣化前輝度と劣化輝度との差に応じた補正値を設定することができる。これにより、有機ＥＬ装置の有機層の劣化輝度を劣化前輝度に近づけやすくすることができる。このため、有機ＥＬ装置の表示画像を明るく維持しやすくすることができる。
【００１８】
［適用例７］上記の有機ＥＬ装置の駆動方法であって、前記有機ＥＬ装置には、複数の画素が設定されており、前記複数の画素には、赤系の色を呈する光を発する前記発光層を有する赤系画素と、緑系の色を呈する光を発する前記発光層を有する緑系画素と、青系の色を呈する光を発する前記発光層を有する青系画素と、が含まれており、前記劣化状態の把握では、前記赤系画素、前記緑系画素及び前記青系画素のそれぞれごとに前記劣化状態を把握し、前記補正値の設定では、前記赤系画素、前記緑系画素及び前記青系画素のそれぞれごとに前記補正値を設定することを特徴とする有機ＥＬ装置の駆動方法。
【００１９】
適用例７の駆動方法にかかる有機ＥＬ装置には、複数の画素が設定されている。複数の画素には、赤系画素と、緑系画素と、青系画素とが含まれている。赤系画素は、赤系の色を呈する光を発する発光層を有している。緑系画素は、緑系の色を呈する光を発する発光層を有している。青系画素は、青系の色を呈する光を発する発光層を有している。
適用例７の駆動方法では、劣化状態の把握において、赤系画素、緑系画素及び青系画素のそれぞれごとに劣化状態を把握する。また、補正値の設定では、赤系画素、緑系画素及び青系画素のそれぞれごとに補正値を設定する。これにより、赤系画素、緑系画素及び青系画素のそれぞれごとに劣化状態が異なっていても、赤系画素、緑系画素及び青系画素のそれぞれごとに適正に輝度の劣化状態を補いやすくすることができる。
【００２０】
［適用例８］発光層を含む有機層と前記有機層を挟持する一対の電極とを有する有機ＥＬ装置の駆動を制御する制御部と、前記発光層を発光させるときの駆動電流値を示す駆動電流データが格納されたデータ格納部と、前記発光層を前記駆動電流値で発光させたときの電圧値を検出する電圧検出部と、前記有機層の電圧に対する電流特性の劣化特性データ、及び前記有機層の電流に対する輝度特性の劣化特性データが保管されたサーバーに向けて、前記電圧値を示す電圧データを送信する送信部と、前記サーバーが前記電圧値並びに前記電流特性の劣化特性データ及び前記輝度特性の劣化特性データに基づいて、前記有機層の劣化状態を把握し、且つ前記劣化状態にある前記有機層で前記劣化状態よりも前の輝度が得られる電流値と前記駆動電流値との差として算出した補正電流値を、前記サーバーから補正データとして受信する受信部と、を有し、前記制御部は、前記駆動電流値に前記補正電流値を加算した新たな駆動電流値で、前記有機ＥＬ装置の前記発光層を発光させることを特徴とする電子機器。
【００２１】
適用例８の電子機器は、制御部と、データ格納部と、電圧検出部と、送信部と、受信部とを有している。制御部は、有機ＥＬ装置の駆動を制御する。なお、有機ＥＬ装置は、発光層を含む有機層と、有機層を挟持する一対の電極とを有している。
データ格納部には、発光層を発光させるときの駆動電流値を示す駆動電流データが格納されている。電圧検出部は、発光層を駆動電流値で発光させたときの電圧値を検出する。送信部は、電圧検出部によって検出された電圧値を示す電圧データをサーバーに向けて送信する。なお、このサーバーには、有機層の電圧に対する電流特性の劣化特性データ、及び有機層の電流に対する輝度特性の劣化特性データが保管されている。
受信部は、サーバーが算出した補正電流値を、サーバーから補正データとして受信する。なお、サーバーは、電圧値、並びに電流特性の劣化特性データ、及び輝度特性の劣化特性データに基づいて、有機層の劣化状態を把握し、且つこの劣化状態にある有機層でこの劣化状態よりも前の輝度が得られる電流値と駆動電流値との差を補正電流値として算出する。
そして、制御部は、駆動電流値に補正電流値を加算した新たな駆動電流値で、有機ＥＬ装置の発光層を発光させる。
この電子機器では、駆動電流を劣化状態よりも前の状態での輝度が得られる電流値に近づけることができるので、輝度の劣化状態を補いやすくすることができる。このため、有機ＥＬ装置の表示画像を明るく維持しやすくすることができる。
【００２２】
［適用例９］発光層を含む有機層と前記有機層を挟持する一対の電極とを有する有機ＥＬ装置の駆動を制御する制御部と、前記発光層を発光させるときの駆動電流値を示す駆動電流データが格納されたデータ格納部と、前記発光層を前記駆動電流値で発光させたときの電圧値を検出する電圧検出部と、前記有機層の電圧に対する電流特性の劣化特性データ、及び前記有機層の電流に対する輝度特性の劣化特性データが格納されたメモリ部と、を有し、前記制御部は、前記電圧値と前記電流特性の劣化特性データとに基づいて、前記有機層の劣化状態を把握し、前記劣化状態と前記輝度特性の劣化特性データとに基づいて、前記劣化状態にある前記有機層で前記劣化状態よりも前の輝度が得られる電流値と、前記駆動電流値との差を補正電流値として算出し、前記駆動電流値に前記補正電流値を加算した新たな駆動電流値で、前記有機ＥＬ装置の前記発光層を発光させることを特徴とする電子機器。
【００２３】
適用例９の電子機器は、制御部と、データ格納部と、電圧検出部と、メモリ部とを有している。制御部は、有機ＥＬ装置の駆動を制御する。なお、有機ＥＬ装置は、発光層を含む有機層と、有機層を挟持する一対の電極とを有している。
データ格納部には、発光層を発光させるときの駆動電流値を示す駆動電流データが格納されている。電圧検出部は、発光層を駆動電流値で発光させたときの電圧値を検出する。メモリ部には、有機層の電圧に対する電流特性の劣化特性データ、及び有機層の電流に対する輝度特性の劣化特性データが格納されている。
この電子機器では、制御部は、電圧値と電流特性の劣化特性データとに基づいて、有機層の劣化状態を把握する。また、制御部は、劣化状態と輝度特性の劣化特性データとに基づいて、この劣化状態にある有機層でこの劣化状態よりも前の輝度が得られる電流値と駆動電流値との差を補正電流値として算出する。
そして、この制御部は、駆動電流値に補正電流値を加算した新たな駆動電流値で、有機ＥＬ装置の発光層を発光させる。
この電子機器では、駆動電流を劣化状態よりも前の状態での輝度が得られる電流値に近づけることができるので、輝度の劣化状態を補いやすくすることができる。このため、有機ＥＬ装置の表示画像を明るく維持しやすくすることができる。
【００２４】
［適用例１０］発光層を含む有機層と前記有機層を挟持する一対の電極とを有する有機ＥＬ装置の駆動を制御する制御部と、前記発光層を発光させるときの駆動電圧値を示す駆動電圧データが格納されたデータ格納部と、前記発光層を前記駆動電圧値で発光させたときの電流値を検出する電流検出部と、前記有機層の電圧に対する電流特性の劣化特性データ、及び前記有機層の電圧に対する輝度特性の劣化特性データが保管されたサーバーに向けて、前記電流値を示す電流データを送信する送信部と、前記サーバーが前記電流値並びに前記電流特性の劣化特性データ及び前記輝度特性の劣化特性データに基づいて、前記有機層の劣化状態を把握し、且つ前記劣化状態にある前記有機層で前記劣化状態よりも前の輝度が得られる電圧値と前記駆動電圧値との差として算出した補正電圧値を、前記サーバーから補正データとして受信する受信部と、を有し、前記制御部は、前記駆動電圧値に前記補正電圧値を加算した新たな駆動電圧値で、前記有機ＥＬ装置の前記発光層を発光させることを特徴とする電子機器。
【００２５】
適用例１０の電子機器は、制御部と、データ格納部と、電流検出部と、送信部と、受信部とを有している。制御部は、有機ＥＬ装置の駆動を制御する。なお、有機ＥＬ装置は、発光層を含む有機層と、有機層を挟持する一対の電極とを有している。
データ格納部には、発光層を発光させるときの駆動電圧値を示す駆動電圧データが格納されている。電流検出部は、発光層を駆動電圧値で発光させたときの電流値を検出する。送信部は、電流検出部によって検出された電流値を示す電流データをサーバーに向けて送信する。なお、このサーバーには、有機層の電圧に対する電流特性の劣化特性データ、及び有機層の電圧に対する輝度特性の劣化特性データが保管されている。
受信部は、サーバーが算出した補正電圧値を、サーバーから補正データとして受信する。なお、サーバーは、電流値、並びに電流特性の劣化特性データ、及び輝度特性の劣化特性データに基づいて、有機層の劣化状態を把握し、且つこの劣化状態にある有機層でこの劣化状態よりも前の輝度が得られる電圧値と駆動電圧値との差を補正電圧値として算出する。
そして、制御部は、駆動電圧値に補正電圧値を加算した新たな駆動電圧値で、有機ＥＬ装置の発光層を発光させる。
この電子機器では、駆動電圧を劣化状態よりも前の状態での輝度が得られる電圧値に近づけることができるので、輝度の劣化状態を補いやすくすることができる。このため、有機ＥＬ装置の表示画像を明るく維持しやすくすることができる。
【００２６】
［適用例１１］発光層を含む有機層と前記有機層を挟持する一対の電極とを有する有機ＥＬ装置の駆動を制御する制御部と、前記発光層を発光させるときの駆動電圧値を示す駆動電圧データが格納されたデータ格納部と、前記発光層を前記駆動電圧値で発光させたときの電流値を検出する電流検出部と、前記有機層の電圧に対する電流特性の劣化特性データ、及び前記有機層の電圧に対する輝度特性の劣化特性データが格納されたメモリ部と、を有し、前記制御部は、前記電流値と前記電流特性の劣化特性データとに基づいて、前記有機層の劣化状態を把握し、前記劣化状態と前記輝度特性の劣化特性データとに基づいて、前記劣化状態にある前記有機層で前記劣化状態よりも前の輝度が得られる電圧値と、前記駆動電圧値との差を補正電圧値として算出し、前記駆動電圧値に前記補正電圧値を加算した新たな駆動電圧値で、前記有機ＥＬ装置の前記発光層を発光させることを特徴とする電子機器。
【００２７】
適用例１１の電子機器は、制御部と、データ格納部と、電流検出部と、メモリ部とを有している。制御部は、有機ＥＬ装置の駆動を制御する。なお、有機ＥＬ装置は、発光層を含む有機層と、有機層を挟持する一対の電極とを有している。
データ格納部には、発光層を発光させるときの駆動電圧値を示す駆動電圧データが格納されている。電流検出部は、発光層を駆動電圧値で発光させたときの電流値を検出する。メモリ部には、有機層の電圧に対する電流特性の劣化特性データ、及び有機層の電圧に対する輝度特性の劣化特性データが格納されている。
この電子機器では、制御部は、電流値と電流特性の劣化特性データとに基づいて、有機層の劣化状態を把握する。また、制御部は、劣化状態と輝度特性の劣化特性データとに基づいて、この劣化状態にある有機層でこの劣化状態よりも前の輝度が得られる電圧値と駆動電圧値との差を補正電圧値として算出する。
そして、この制御部は、駆動電圧値に補正電圧値を加算した新たな駆動電圧値で、有機ＥＬ装置の発光層を発光させる。
この電子機器では、駆動電圧を劣化状態よりも前の状態での輝度が得られる電圧値に近づけることができるので、輝度の劣化状態を補いやすくすることができる。このため、有機ＥＬ装置の表示画像を明るく維持しやすくすることができる。
【００２８】
［適用例１２］上記の電子機器であって、前記有機ＥＬ装置を有することを特徴とする電子機器。
【００２９】
［適用例１３］発光層を含む有機層と前記有機層を挟持する一対の電極とを有する有機ＥＬ装置の駆動を制御するクライアント装置から、前記クライアント装置が前記発光層を所定の電流値で発光させたときの電圧値を電圧データとして受信する受信部と、前記有機層の電圧に対する電流特性の劣化特性データ、及び前記有機層の電流に対する輝度特性の劣化特性データが保管されたデータ保管部と、前記電圧値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電流値と、前記所定の電流値との差を補正電流値として算出する制御部と、前記補正電流値を補正データとして前記クライアント装置に送信する送信部と、を有することを特徴とするサーバー装置。
【００３０】
適用例１３のサーバー装置は、受信部と、データ保管部と、制御部と、送信部とを有している。
受信部は、クライアント装置から電圧データを受信する。なお、クライアント装置は、有機ＥＬ装置の駆動を制御する。有機ＥＬ装置は、発光層を含む有機層と、有機層を挟持する一対の電極とを有している。電圧データには、クライアント装置が発光層を所定の電流値で発光させたときの電圧値が示されている。
データ保管部には、有機層の電圧に対する電流特性の劣化特性データ、及び有機層の電流に対する輝度特性の劣化特性データが保管されている。
制御部は、電圧値及び電流特性の劣化特性データに基づいて、有機層の劣化状態を把握する。また、制御部は、劣化状態及び輝度特性の劣化特性データに基づいて、この劣化状態にある有機層でこの劣化状態よりも前の輝度が得られる電流値と所定の電流値との差を補正電流値として算出する。
送信部は、補正電流値を補正データとしてクライアント装置に送信する。
このサーバー装置では、クライアント装置における駆動電流を、劣化状態よりも前の状態での輝度が得られる電流値に近づけることができるので、有機ＥＬ装置の輝度の劣化状態を補いやすくすることができる。このため、有機ＥＬ装置の表示画像を明るく維持しやすくすることができる。
【００３１】
［適用例１４］発光層を含む有機層と前記有機層を挟持する一対の電極とを有する有機ＥＬ装置の駆動を制御するクライアント装置から、前記クライアント装置が前記発光層を所定の電圧値で発光させたときの電流値を電流データとして受信する受信部と、前記有機層の電圧に対する電流特性の劣化特性データ、及び前記有機層の電圧に対する輝度特性の劣化特性データが保管されたデータ保管部と、前記電流値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電圧値と、前記所定の電圧値との差を補正電圧値として算出する制御部と、前記補正電圧値を補正データとして前記クライアント装置に送信する送信部と、を有することを特徴とするサーバー装置。
【００３２】
適用例１４のサーバー装置は、受信部と、データ保管部と、制御部と、送信部とを有している。
受信部は、クライアント装置から電流データを受信する。なお、クライアント装置は、有機ＥＬ装置の駆動を制御する。有機ＥＬ装置は、発光層を含む有機層と、有機層を挟持する一対の電極とを有している。電流データには、クライアント装置が発光層を所定の電圧値で発光させたときの電流値が示されている。
データ保管部には、有機層の電圧に対する電流特性の劣化特性データ、及び有機層の電圧に対する輝度特性の劣化特性データが保管されている。
制御部は、電流値及び電流特性の劣化特性データに基づいて、有機層の劣化状態を把握する。また、制御部は、劣化状態及び輝度特性の劣化特性データに基づいて、この劣化状態にある有機層でこの劣化状態よりも前の輝度が得られる電圧値と所定の電圧値との差を補正電圧値として算出する。
送信部は、補正電圧値を補正データとしてクライアント装置に送信する。
このサーバー装置では、クライアント装置における駆動電圧を、劣化状態よりも前の状態での輝度が得られる電圧値に近づけることができるので、有機ＥＬ装置の輝度の劣化状態を補いやすくすることができる。このため、有機ＥＬ装置の表示画像を明るく維持しやすくすることができる。
【００３３】
［適用例１５］発光層を含む有機層と前記有機層を挟持する一対の電極とを有する有機ＥＬ装置の駆動を制御するクライアント装置と、前記有機層の電圧に対する電流特性の劣化特性データ、及び前記有機層の電流に対する輝度特性の劣化特性データが保管されたサーバー装置と、を有し、前記クライアント装置と前記サーバー装置との間でデータの送受信を行う送受信システムであって、前記クライアント装置は、前記発光層を発光させるときの駆動電流値を示す駆動電流データが格納されたデータ格納部と、前記発光層を前記駆動電流値で発光させたときの電圧値を検出する電圧検出部と、前記電圧値を示す電圧データを、前記サーバー装置に向けて送信する送信部と、前記サーバー装置から、前記発光層の劣化状態に基づく補正電流値を補正データとして受信する受信部と、前記有機ＥＬ装置の駆動を制御するときに、前記駆動電流値に前記補正電流値を加算した新たな駆動電流値で前記発光層を発光させる制御部と、を有しており、前記サーバー装置は、前記電圧データを受信する受信部と、前記電流特性の劣化特性データ及び前記輝度特性の劣化特性データが保管されたデータ保管部と、前記電圧値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電流値と、前記駆動電流値との差を補正電流値として算出する制御部と、前記補正電流値を補正データとして前記クライアント装置に送信する送信部と、を有していることを特徴とする送受信システム。
【００３４】
適用例１５の送受信システムは、クライアント装置と、サーバー装置とを有している。なお、クライアント装置は、有機ＥＬ装置の駆動を制御する。有機ＥＬ装置は、発光層を含む有機層と、有機層を挟持する一対の電極とを有している。
サーバー装置には、有機層の電圧に対する電流特性の劣化特性データ、及び有機層の電流に対する輝度特性の劣化特性データが保管されている。
この送受信システムは、クライアント装置とサーバー装置との間でデータの送受信を行う。
クライアント装置は、データ格納部と、電圧検出部と、送信部と、受信部と、制御部とを有している。データ格納部には、発光層を発光させるときの駆動電流値を示す駆動電流データが格納されている。電圧検出部は、発光層を駆動電流値で発光させたときの電圧値を検出する。送信部は、電圧検出部によって検出された電圧値を示す電圧データをサーバー装置に向けて送信する。受信部は、サーバー装置から補正データを受信する。補正データには、発光層の劣化状態に基づく補正電流値が示されている。制御部は、有機ＥＬ装置の駆動を制御するときに、駆動電流値に補正電流値を加算した新たな駆動電流値で発光層を発光させる。
サーバー装置は、受信部と、データ保管部と、制御部と、送信部とを有している。受信部は、クライアント装置から電圧データを受信する。データ保管部には、電流特性の劣化特性データ、及び輝度特性の劣化特性データが保管されている。制御部は、電圧値及び電流特性の劣化特性データに基づいて、有機層の劣化状態を把握する。また、制御部は、劣化状態及び輝度特性の劣化特性データに基づいて、この劣化状態にある有機層でこの劣化状態よりも前の輝度が得られる電流値と駆動電流値との差を補正電流値として算出する。送信部は、補正電流値を補正データとしてクライアント装置に送信する。
この送受信システムでは、クライアント装置における駆動電流を、劣化状態よりも前の状態での輝度が得られる電流値に近づけることができるので、有機ＥＬ装置の輝度の劣化状態を補いやすくすることができる。このため、有機ＥＬ装置の表示画像を明るく維持しやすくすることができる。
【００３５】
［適用例１６］発光層を含む有機層と前記有機層を挟持する一対の電極とを有する有機ＥＬ装置の駆動を制御するクライアント装置と、前記有機層の電圧に対する電流特性の劣化特性データ、及び前記有機層の電圧に対する輝度特性の劣化特性データが保管されたサーバー装置と、を有し、前記クライアント装置と前記サーバー装置との間でデータの送受信を行う送受信システムであって、前記クライアント装置は、前記発光層を発光させるときの駆動電圧値を示す駆動電圧データが格納されたデータ格納部と、前記発光層を前記駆動電圧値で発光させたときの電流値を検出する電流検出部と、前記電流値を示す電流データを、前記サーバー装置に向けて送信する送信部と、前記サーバー装置から、前記発光層の劣化状態に基づく補正電圧値を補正データとして受信する受信部と、前記有機ＥＬ装置の駆動を制御するときに、前記駆動電圧値に前記補正電圧値を加算した新たな駆動電圧値で前記発光層を発光させる制御部と、を有しており、前記サーバー装置は、前記電流データを受信する受信部と、前記電流特性の劣化特性データ及び前記輝度特性の劣化特性データが保管されたデータ保管部と、前記電流値及び前記電流特性の劣化特性データに基づいて、前記有機層の劣化状態を把握し、前記劣化状態及び前記輝度特性の劣化特性データに基づいて、前記劣化状態にある前記有機層で前記劣化状態よりも前の輝度が得られる電圧値と、前記駆動電圧値との差を補正電圧値として算出する制御部と、前記補正電圧値を補正データとして前記クライアント装置に送信する送信部と、を有していることを特徴とする送受信システム。
【００３６】
適用例１６の送受信システムは、クライアント装置と、サーバー装置とを有している。なお、クライアント装置は、有機ＥＬ装置の駆動を制御する。有機ＥＬ装置は、発光層を含む有機層と、有機層を挟持する一対の電極とを有している。
サーバー装置には、有機層の電圧に対する電流特性の劣化特性データ、及び有機層の電圧に対する輝度特性の劣化特性データが保管されている。
この送受信システムは、クライアント装置とサーバー装置との間でデータの送受信を行う。
クライアント装置は、データ格納部と、電流検出部と、送信部と、受信部と、制御部とを有している。データ格納部には、発光層を発光させるときの駆動電圧値を示す駆動電圧データが格納されている。電流検出部は、発光層を駆動電圧値で発光させたときの電流値を検出する。送信部は、電流検出部によって検出された電流値を示す電流データをサーバー装置に向けて送信する。受信部は、サーバー装置から補正データを受信する。補正データには、発光層の劣化状態に基づく補正電圧値が示されている。制御部は、有機ＥＬ装置の駆動を制御するときに、駆動電圧値に補正電圧値を加算した新たな駆動電圧値で発光層を発光させる。
サーバー装置は、受信部と、データ保管部と、制御部と、送信部とを有している。受信部は、クライアント装置から電流データを受信する。データ保管部には、電流特性の劣化特性データ、及び輝度特性の劣化特性データが保管されている。制御部は、電流値及び電流特性の劣化特性データに基づいて、有機層の劣化状態を把握する。また、制御部は、劣化状態及び輝度特性の劣化特性データに基づいて、この劣化状態にある有機層でこの劣化状態よりも前の輝度が得られる電圧値と駆動電圧値との差を補正電圧値として算出する。送信部は、補正電圧値を補正データとしてクライアント装置に送信する。
この送受信システムでは、クライアント装置における駆動電圧を、劣化状態よりも前の状態での輝度が得られる電圧値に近づけることができるので、有機ＥＬ装置の輝度の劣化状態を補いやすくすることができる。このため、有機ＥＬ装置の表示画像を明るく維持しやすくすることができる。
【発明を実施するための最良の形態】
【００３７】
図面を参照しながら、第１実施形態について説明する。
第１実施形態における送受信システム１は、図１に示すように、クライアント装置３と、サーバー装置５とを有している。送受信システム１では、クライアント装置３及びサーバー装置５の間で、例えばインターネットなどの通信回線７を介してデータが送受信される。
【００３８】
クライアント装置３には、表示装置９が接続される。表示装置９は、画像を表示する表示部１０を有している。クライアント装置３は、表示部１０の駆動を制御する。
また、クライアント装置３には、例えばキーボードなどの入力装置１１が接続され得る。クライアント装置３は、入力装置１１を介してクライアント装置３に入力された情報を、表示装置９の表示部１０に表示させることができる。
【００３９】
サーバー装置５には、表示部１０に関する種々のデータが保管されている。サーバー装置５は、クライアント装置３からの要求に基づいて、表示部１０に関するデータをクライアント装置３に送信する。
他方で、クライアント装置３は、サーバー装置５から表示部１０に関するデータを受信すると、このデータに基づいて表示部１０の駆動を制御する。
【００４０】
ここで、表示部１０の構成について説明する。
表示部１０には、有機ＥＬ素子を有する有機ＥＬ装置が適用されている。表示部１０は、平面図である図２に示すように、表示面５１を有している。
表示部１０には、複数の画素５３が設定されている。複数の画素５３は、表示領域５５内で、図中のＸ方向及びＹ方向に配列しており、Ｘ方向を行方向とし、Ｙ方向を列方向とするマトリクスＭを構成している。表示部１０は、複数の画素５３から選択的に表示面５１を介して表示部１０の外に光を射出することで、表示面５１に画像を表示することができる。なお、表示領域５５とは、画像が表示され得る領域である。図２では、構成をわかりやすく示すため、画素５３が誇張され、且つ画素５３の個数が減じられている。
【００４１】
表示部１０は、図２中のＡ−Ａ線における断面図である図３に示すように、素子基板６１と、封止基板６３とを有している。
素子基板６１には、表示面５１側すなわち封止基板６３側に、複数の画素５３のそれぞれに対応して、後述する有機ＥＬ素子などが設けられている。なお、素子基板６１の表示面５１側とは反対側の面６５は、表示部１０の底面として設定されている。以下において、面６５は、底面６５と表記される。
【００４２】
封止基板６３は、素子基板６１よりも表示面５１側で素子基板６１に対向した状態で設けられている。素子基板６１と封止基板６３とは、接着剤６６を介して接合されている。表示部１０では、有機ＥＬ素子は、接着剤６６によって表示面５１側から覆われている。
また、素子基板６１と封止基板６３との間は、表示部１０の周縁よりも内側で表示領域５５を囲むシール材６７によって封止されている。つまり、表示部１０では、有機ＥＬ素子と接着剤６６とが、素子基板６１及び封止基板６３並びにシール材６７によって封止されている。
【００４３】
ここで、表示部１０における複数の画素５３は、それぞれ、表示面５１から射出する光の色が、図４に示すように、赤系（Ｒ）、緑系（Ｇ）及び青系（Ｂ）のうちの１つに設定されている。つまり、マトリクスＭを構成する複数の画素５３は、Ｒの光を射出する画素５３ｒと、Ｇの光を射出する画素５３ｇと、Ｂの光を射出する画素５３ｂとを含んでいる。
なお、以下においては、画素５３という表記と、画素５３ｒ、画素５３ｇ及び画素５３ｂという表記とが、適宜、使いわけられる。
【００４４】
ここで、Ｒの色は、純粋な赤の色相に限定されず、橙等を含む。Ｇの色は、純粋な緑の色相に限定されず、青緑や黄緑を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００４５】
マトリクスＭでは、Ｙ方向に沿って並ぶ複数の画素５３が、１つの画素列６８を構成している。また、Ｘ方向に沿って並ぶ複数の画素５３が、１つの画素行６９を構成している。１つの画素列６８内の各画素５３は、光の色がＲ、Ｇ及びＢのうちの１つに設定されている。つまり、マトリクスＭは、複数の画素５３ｒがＹ方向に配列した画素列６８ｒと、複数の画素５３ｇがＹ方向に配列した画素列６８ｇと、複数の画素５３ｂがＹ方向に配列した画素列６８ｂとを有している。そして、表示部１０では、画素列６８ｒ、画素列６８ｇ及び画素列６８ｂが、この順でＸ方向に沿って反復して並んでいる。
なお、以下においては、画素列６８という表記と、画素列６８ｒ、画素列６８ｇ及び画素列６８ｂという表記とが、適宜、使いわけられる。
【００４６】
表示部１０は、回路構成を示す図である図５に示すように、画素５３ごとに、ＴＦＴ（Thin Film Transistor）素子７１と、ＴＦＴ素子７３と、保持容量７５と、有機ＥＬ素子７７とを有している。各有機ＥＬ素子７７は、画素電極７９と、有機層８１と、共通電極８３とを有している。
また、表示部１０は、走査線駆動回路８４と、データ線駆動回路８５と、複数の走査線ＧＴと、複数のデータ線ＳＩと、複数の電源線ＰＷとを有している。
【００４７】
複数の走査線ＧＴは、それぞれ走査線駆動回路８４につながっており、Ｙ方向に互いに間隔をあけた状態でＸ方向に延びている。
複数のデータ線ＳＩは、それぞれデータ線駆動回路８５につながっており、Ｘ方向に互いに間隔をあけた状態でＹ方向に延びている。
複数の電源線ＰＷは、Ｘ方向に互いに間隔をあけた状態で、且つ各電源線ＰＷと各データ線ＳＩとがＸ方向に間隔をあけた状態でＹ方向に延びている。
【００４８】
各画素５３は、各走査線ＧＴと各データ線ＳＩとの交差に対応して設定されている。各走査線ＧＴは、図４に示す各画素行６９に対応している。各データ線ＳＩ及び各電源線ＰＷは、それぞれ、図４に示す各画素列６８に対応している。
図５に示す各ＴＦＴ素子７１のゲート電極は、対応する各走査線ＧＴに電気的につながっている。各ＴＦＴ素子７１のソース電極は、対応する各データ線ＳＩに電気的につながっている。ＴＦＴ素子７１のドレイン電極は、ＴＦＴ素子７３のゲート電極及び保持容量７５の一方の電極に電気的につながっている。
【００４９】
保持容量７５の他方の電極と、ＴＦＴ素子７３のソース電極は、それぞれ、対応する各電源線ＰＷに電気的につながっている。
各ＴＦＴ素子７３のドレイン電極は、各画素電極７９に電気的につながっている。各画素電極７９と共通電極８３とは、画素電極７９を陽極とし、共通電極８３を陰極とする一対の電極を構成している。
ここで、共通電極８３は、マトリクスＭを構成する複数の画素５３間にわたって一連した状態で設けられており、複数の画素５３間にわたって共通して機能する。
各画素電極７９と共通電極８３との間に介在する有機層８１は、有機材料で構成されており、後述する発光層を含んだ構成を有している。
【００５０】
ＴＦＴ素子７１は、このＴＦＴ素子７１につながる走査線ＧＴに走査信号が供給されるとＯＮ状態となる。このとき、このＴＦＴ素子７１につながるデータ線ＳＩからデータ信号が供給され、ＴＦＴ素子７３がＯＮ状態になる。ＴＦＴ素子７３のゲート電位は、データ信号の電位が保持容量７５に一定の期間だけ保持されることによって、一定の期間だけ保持される。これにより、ＴＦＴ素子７３のＯＮ状態が一定の期間だけ保持される。なお、各データ信号は、階調表示に応じた電位に生成される。
【００５１】
ＴＦＴ素子７３のＯＮ状態が保持されているときに、ＴＦＴ素子７３のゲート電位に応じた電流が、電源線ＰＷから画素電極７９と有機層８１を経て共通電極８３に流れる。そして、有機層８１に含まれる発光層が、有機層８１を流れる電流量に応じた輝度で発光する。これにより、表示部１０では、階調表示が行われ得る。
表示部１０は、有機層８１に含まれる発光層が発光し、発光層からの光が封止基板６３を介して表示面５１から射出されるトップエミッション型の有機ＥＬ装置の１つである。なお、表示部１０では、表示面５１側という表現が上側とも表現され、底面６５側という表現が下側とも表現される。
【００５２】
ここで、素子基板６１及び封止基板６３のそれぞれの構成について、詳細を説明する。
素子基板６１は、図４中のＣ−Ｃ線における断面図である図６に示すように、第１基板９１を有している。なお、図６では、構成をわかりやすく示すため、ＴＦＴ素子７１及び保持容量７５並びにデータ線ＳＩが省略されている。
第１基板９１は、例えばガラスや石英などの光透過性を有する材料で構成されており、表示面５１側に向けられた第１面９２ａと、底面６５側に向けられた第２面９２ｂとを有している。
【００５３】
第１基板９１の第１面９２ａには、ゲート絶縁膜９３が設けられている。ゲート絶縁膜９３の表示面５１側には、絶縁膜９５が設けられている。絶縁膜９５の表示面５１側には、絶縁膜９７が設けられている。
また、第１基板９１の第１面９２ａには、各画素５３のＴＦＴ素子７３に対応して、半導体層１０１が設けられている。半導体層１０１は、ゲート絶縁膜９３によって表示面５１側から覆われている。なお、ゲート絶縁膜９３の材料としては、例えば酸化シリコンなどの材料が採用され得る。
【００５４】
ゲート絶縁膜９３の表示面５１側には、平面視で半導体層１０１に重なる領域にゲート電極１０３が設けられている。ゲート電極１０３の材料としては、例えば、アルミニウム、銅、モリブデン、タングステン、クロムなどの金属や、これらを含む合金などが採用され得る。ゲート電極１０３は、絶縁膜９５によって表示面５１側から覆われている。
【００５５】
絶縁膜９５の表示面５１側には、平面視で半導体層１０１のソース領域（図示せず）に重なる領域にソース電極１０５が設けられている。ソース電極１０５は、絶縁膜９５及びゲート絶縁膜９３に設けられたコンタクトホール１０７を介して半導体層１０１のソース領域（図示せず）につながっている。ソース電極１０５の材料としては、例えば、アルミニウム、銅、モリブデン、タングステン、クロムなどの金属や、これらを含む合金などが採用され得る。ソース電極１０５は、絶縁膜９７によって表示面５１側から覆われている。
【００５６】
絶縁膜９７の表示面５１側には、画素電極７９が設けられている。画素電極７９は、絶縁膜９７、絶縁膜９５及びゲート絶縁膜９３に設けられたコンタクトホール１０９を介して半導体層１０１のドレイン領域（図示せず）につながっている。画素電極７９の材料としては、例えば、銀、白金、アルミニウム、銅などの光反射性を有する金属や、これらを含む合金などが採用され得る。
【００５７】
画素電極７９を陽極として機能させる場合には、銀、白金などの仕事関数が比較的高い材料を用いることが好ましい。また、画素電極７９としてＩＴＯ（Indium Tin Oxide）やインジウム亜鉛酸化物（Indium Zinc Oxide）などを用い、光反射性を有する部材を画素電極７９と第１基板９１との間に設けた構成も採用され得る。
また、絶縁膜９５及び絶縁膜９７の材料としては、例えば、酸化シリコン、窒化シリコン、アクリル系の樹脂などの材料が採用され得る。
【００５８】
隣り合う画素電極７９同士の間には、各画素５３を区画する絶縁膜１１１が領域１１２にわたって設けられている。絶縁膜１１１は、例えば、酸化シリコン、窒化シリコン、アクリル系の樹脂などの光透過性を有する材料で構成されており、平面視で格子状に設けられている。絶縁膜１１１は、表示領域５５にわたって格子状に設けられている。このため、表示領域５５は、絶縁膜１１１によって複数の画素５３の領域に区画されている。なお、各画素電極７９は、絶縁膜１１１によって囲まれた各画素５３の領域に平面視で重なっている。
【００５９】
絶縁膜１１１の表示面５１側には、各画素５３の領域を囲む遮光膜１１３が設けられている。遮光膜１１３は、例えば、カーボンブラックやクロムなどの光吸収性が高い材料を含有するアクリル系の樹脂やポリイミドなどの樹脂で構成されており、平面視で格子状に設けられている。
画素電極７９の表示面５１側には、遮光膜１１３に囲まれた領域内に、有機層８１が設けられている。
【００６０】
有機層８１は、各画素５３に対応して設けられており、正孔注入層１１５と、正孔輸送層１１７と、発光層１１９とを有している。
正孔注入層１１５は、有機材料で構成されており、平面視で絶縁膜１１１によって囲まれた領域内で、画素電極７９の表示面５１側に設けられている。
正孔注入層１１５の有機材料としては、３，４−ポリエチレンジオキシチオフェン（ＰＥＤＯＴ）等のポリチオフェン誘導体と、ポリスチレンスルホン酸（ＰＳＳ）等との混合物が採用され得る。正孔注入層１１５の有機材料としては、ポリスチレン、ポリピロール、ポリアニリン、ポリアセチレンやこれらの誘導体なども採用され得る。
【００６１】
正孔輸送層１１７は、有機材料で構成されており、平面視で遮光膜１１３によって囲まれた領域内で、正孔注入層１１５の表示面５１側に設けられている。
正孔輸送層１１７の有機材料としては、例えば、下記化合物１として示されるＴＦＢなどのトリフェニルアミン系ポリマーを含んだ構成が採用され得る。
【００６２】
【化１】
2009251333.tif 000003
【００６３】
発光層１１９は、有機材料で構成されており、平面視で遮光膜１１３によって囲まれた領域内で、正孔輸送層１１７の表示面５１側に設けられている。
Ｒの画素５３ｒに対応する発光層１１９の有機材料としては、例えば、下記化合物２として示されるＦ８（ポリジオクチルフルオレン）と、ペリレン染料とを混合したものが採用され得る。
【００６４】
【化２】
2009251333.tif 000004
【００６５】
Ｇの画素５３ｇに対応する発光層１１９の有機材料としては、例えば、下記化合物３として示されるＦ８ＢＴと、上記化合物１として示されるＴＦＢと、上記化合物２として示されるＦ８とを混合したものが採用され得る。
【００６６】
【化３】
2009251333.tif 000005
【００６７】
Ｂの画素５３ｂに対応する発光層１１９の有機材料としては、例えば、上記化合物２として示されるＦ８が採用され得る。
【００６８】
有機層８１の表示面５１側には、図６に示すように、遮光膜１１３に囲まれた領域内に、電子注入層１２１が設けられている。電子注入層１２１の材料としては、例えばカルシウムなどが採用され得る。
電子注入層１２１の表示面５１側には、共通電極８３が設けられている。共通電極８３は、例えば、ＩＴＯやインジウム亜鉛酸化物等の光透過性を有する材料や、マグネシウム銀等を薄膜化して光透過性を付与したものなどで構成され、電子注入層１２１及び遮光膜１１３を表示面５１側から複数の画素５３間にわたって覆っている。
【００６９】
なお、表示部１０では、各画素５３において発光する領域は、平面視で画素電極７９と有機層８１と共通電極８３とが重なる領域であると定義され得る。また、画素５３ごとに発光する領域を構成する要素の一群が１つの有機ＥＬ素子７７であると定義され得る。表示部１０では、１つの有機ＥＬ素子７７は、１つの画素電極７９と、１つの有機層８１と、１つの電子注入層１２１と、１つの画素５３に対応する共通電極８３とを含んだ構成を有している。
【００７０】
封止基板６３は、例えばガラスや石英などの光透過性を有する材料で構成されており、表示面５１側に向けられた外向面６３ａと、底面側に向けられた対向面６３ｂとを有している。
上記の構成を有する素子基板６１及び封止基板６３は、素子基板６１の共通電極８３と封止基板６３の対向面６３ｂとの間が、接着剤６６を介して接合されている。
【００７１】
表示部１０では、図３に示すシール材６７は、図６に示す第１基板９１の第１面９２ａと、封止基板６３の対向面６３ｂとによって挟持されている。つまり、表示部１０では、有機ＥＬ素子７７及び接着剤６６が、第１基板９１及び封止基板６３並びにシール材６７によって封止されている。なお、シール材６７は、対向面６３ｂ及び共通電極８３の間に設けられていてもよい。この場合、有機ＥＬ素子７７及び接着剤６６は、素子基板６１及び封止基板６３並びにシール材６７によって封止されているとみなされ得る。
【００７２】
上記の構成を有する表示部１０は、図１に示すクライアント装置３によって駆動が制御される。
クライアント装置３は、ブロック図である図７に示すように、制御部１３１と、表示コントローラ１３３と、入力コントローラ１３５と、電圧検出部１３７と、送信部１３９と、受信部１４１とを有している。
【００７３】
制御部１３１は、例えばマイクロコンピュータで構成されており、ＣＰＵ（Central Processing Unit）１４３と、メモリ部１４５とを有している。
ＣＰＵ１４３は、上記の各構成の制御や演算処理を実施する。
メモリ部１４５は、ＲＯＭ（Read Only Memory）や、ＲＡＭ（Random Access Memory）などを含んだ構成を有している。
ＲＯＭには、オペレーティングシステムなどのプログラムが格納されている。ＲＡＭは、ＣＰＵ１４３によって実行される各種のプログラムや、演算処理における各種のデータが一時的に展開される。
【００７４】
表示コントローラ１３３は、ＣＰＵ１４３からの指令に基づいて、表示部１０の駆動を制御する。
入力コントローラ１３５は、入力装置１１を介して入力されたデータをＣＰＵ１４３に送る。ＣＰＵ１４３は、入力コントローラ１３５から受け取ったデータをメモリ部１４５のＲＡＭに格納する。なお、表示コントローラ１３３は、メモリ部１４５のＲＡＭに格納されたデータに基づいて表示信号を生成する。表示部１０は、表示コントローラ１３３が生成した表示信号に基づいて表示を行う。
【００７５】
電圧検出部１３７は、ＣＰＵ１４３からの指令に基づいて、表示部１０が所定の駆動電流で駆動されたときの電圧値を検出してから、検出した電圧値を電圧データとしてＣＰＵ１４３に送る。
送信部１３９は、ＣＰＵ１４３からの指令に基づいて、表示部１０のＩＤ情報や、上記の電圧データをサーバー装置５に送信する。
受信部１４１は、サーバー装置５から送信される種々のデータを受信してから、これらの種々のデータをＣＰＵ１４３に送る。
【００７６】
サーバー装置５は、制御部１５１と、受信部１５３と、認証部１５５と、データ保管部１５７と、送信部１５９とを有している。
制御部１５１は、例えばマイクロコンピュータで構成されており、ＣＰＵ１６１と、メモリ部１６３とを有している。
ＣＰＵ１６１は、上記の各構成の制御や演算処理を実施する。
メモリ部１６３は、ＲＯＭ（Read Only Memory）や、ＲＡＭ（Random Access Memory）などを含んだ構成を有している。
ＲＯＭには、種々のプログラムが格納されている。ＲＡＭは、ＣＰＵ１６１によって実行される各種のプログラムや、演算処理における各種のデータが一時的に展開される。
【００７７】
受信部１５３は、クライアント装置３から送信される表示部１０のＩＤ情報や電圧データなどを受信してから、これらのＩＤ情報や電圧データを認証部１５５に送る。
認証部１５５は、表示部１０のＩＤ情報を照合し、クライアント装置３とサーバー装置５との接続を認証する。クライアント装置３とサーバー装置５との接続が認証されると、認証部１５５は、表示部１０のＩＤ情報や電圧データなどをＣＰＵ１６１に送る。
【００７８】
データ保管部１５７には、表示部１０の機種ごとに、表示部１０の特性に関する特性データが保管されている。なお、特性データとしては、有機層８１の電圧に対する電流特性データや、有機層８１の電流に対する輝度特性データなどが挙げられる。
送信部１５９は、ＣＰＵ１６１からの指令に基づいて、表示部１０の駆動電流に対する補正電流値を補正データとしてクライアント装置３に送信する。なお、補正電流値は、ＣＰＵ１６１によって算出される。
【００７９】
表示部１０の電流特性データは、図８に示すように、表示部１０の劣化状態に応じて劣化状態ごとに収集されている。表示部１０の輝度特性データは、図９に示すように、表示部１０の劣化状態に応じて劣化状態ごとに収集されている。
データ保管部１５７に保管されている特性データには、表示部１０の劣化状態ごとに収集された複数の電流特性データＶＩ（図８）や、複数の輝度特性データＩＬ（図９）が含まれている。劣化状態ごとの複数の電流特性データＶＩは、図８に示すように、電流特性の劣化特性データＲIとして括られている。また、劣化状態ごとの複数の輝度特性データＩＬは、図９に示すように、輝度特性の劣化特性データＲLとして括られている。
【００８０】
表示部１０では、有機層８１を所定の駆動電流Ｉ0で駆動したときに有機層８１にかかる電圧Ｖが、図８に示すように、劣化状態に応じて変化していく。図８では、表示部１０が劣化する前の初期状態（０）における電圧Ｖ0が、劣化状態（１）で電圧Ｖ1に変化し、劣化状態（２）で電圧Ｖ2に変化している様子が示されている。
【００８１】
また、表示部１０では、有機層８１を所定の駆動電流Ｉ0で駆動したときの有機層８１の輝度Ｌが、図９に示すように、劣化状態に応じて変化していく。図９では、表示部１０が劣化する前の初期状態（０）における輝度Ｌ0が、劣化状態（１）で輝度Ｌ1に変化し、劣化状態（２）で輝度Ｌ2に変化している様子が示されている。
つまり、表示部１０では、劣化状態に応じて、有機層８１にかかる電圧Ｖが増加し、有機層８１の輝度Ｌが減少していく。
【００８２】
そこで、本実施形態では、表示部１０の駆動方法として、発光層１１９を所定の電流で発光させたときの電圧に基づいて、表示部１０の輝度を補正する駆動方法が採用されている。
この駆動方法では、まず、発光層１１９を所定の駆動電流Ｉ0で発光させたときの電圧に基づいて、表示部１０の劣化状態が把握される。
このときの電圧が、例えば図８に示す電圧Ｖ1であったとする。電圧Ｖ1から把握される表示部１０の劣化状態は、図８に示す劣化状態（１）である。
【００８３】
次いで、この劣化状態（１）にある有機層８１で初期状態の輝度Ｌ0が得られる電流と、駆動電流Ｉ0との差が補正値として設定される。
劣化状態（１）にある有機層８１で輝度Ｌ0が得られる電流は、図９に示すように、電流Ｉ1である。従って、この場合、電流Ｉ1と駆動電流Ｉ0との差ＩSが補正電流値として設定される。
そして、従前の駆動電流Ｉ0に補正値を加算した新たな駆動電流Ｉ0が、表示部１０を駆動するときの新たな駆動電流Ｉ0として設定される。
【００８４】
図７に示す送受信システム１では、まず、クライアント装置３のＣＰＵ１４３が表示コントローラ１３３にテスト表示の指令を出力する。このとき、ＣＰＵ１４３は、メモリ部１４５に格納されている駆動電流データも表示コントローラ１３３に出力する。なお、駆動電流データとは、表示部１０を駆動すべき所定の駆動電流Ｉ0の値を示すデータである。
表示コントローラ１３３は、テスト表示の指令に基づいて、所定の駆動電流Ｉ0で表示部１０を駆動する。このとき、表示コントローラ１３３は、表示部１０の表示領域５５内のすべての画素５３に駆動電流Ｉ0が供給されるように表示部１０を駆動する。
【００８５】
次いで、ＣＰＵ１４３は、電圧検出部１３７に電圧検出の指令を出力する。電圧検出部１３７は、この電圧検出の指令に基づいて、各有機層８１にかかる電圧Ｖを検出してから、電圧Ｖを示す電圧データをＣＰＵ１４３に出力する。
次いで、ＣＰＵ１４３は、送信部１３９に送信の指令を出力する。送信部１３９は、この送信の指令に基づいて、電圧データと、表示部１０のＩＤ情報とを、サーバー装置５に向けて送信する。
【００８６】
サーバー装置５では、受信部１５３がクライアント装置３から電圧データと表示部１０のＩＤ情報とを受信すると、ＣＰＵ１６１がＩＤ情報を照合して表示部１０の機種に適合する特性データをデータ保管部１５７から読み込む。ＣＰＵ１６１が読み込んだ特性データは、メモリ部１６３のＲＡＭに展開される。
次いで、ＣＰＵ１６１は、電圧データを電流特性の劣化特性データＲIに照合して、表示部１０の劣化状態を判定する。
【００８７】
次いで、ＣＰＵ１６１は、判定した表示部１０の劣化状態を輝度特性の劣化特性データＲLに照合して、照合した輝度特性データＩＬから差ＩSを補正電流値として算出する。
次いで、ＣＰＵ１６１は、送信部１５９に送信の指令を出力する。送信部１５９は、この送信の指令に基づいて、補正電流値を示す補正データをクライアント装置３に向けて送信する。
【００８８】
クライアント装置３では、受信部１４１がサーバー装置５から補正データを受信すると、ＣＰＵ１４３が補正データをメモリ部１４５に格納する。
そして、ＣＰＵ１４３は、表示コントローラ１３３に表示部１０を駆動させるときに、メモリ部１４５から補正データを読み込んで、読み込んだ補正データを駆動電流データに加算した新たな駆動電流Ｉ0で表示部１０を駆動させる。
【００８９】
第１実施形態において、クライアント装置３が電子機器に対応し、表示部１０が有機ＥＬ装置に対応し、制御部１３１が電子機器の制御部に対応し、制御部１５１がサーバー装置の制御部に対応している。
第１実施形態では、表示部１０の駆動方法として、発光層１１９を所定の電流で発光させたときの電圧に基づいて、表示部１０の輝度を補正する駆動方法が採用されている。このため、有機ＥＬ装置で構成された表示部１０の表示画像を明るく維持しやすくすることができる。
【００９０】
また、第１実施形態では、発光層１１９を所定の電流で発光させたときの電圧に基づいて有機層８１の劣化状態を把握するので、有機層８１の劣化状態を正確に把握しやすい。ここで、有機層８１の劣化状態は、例えば表示部１０の駆動時間を積算することによっても推定され得る。しかしながら、表示部１０の劣化状態は、表示部１０の駆動環境によってばらつきが発生し得る。このため、駆動時間の積算では、把握される劣化状態がばらつくことがある。これに対し、第１実施形態では、発光層１１９を所定の電流で発光させたときの電圧に基づいて有機層８１の劣化状態を把握するので、有機層８１の劣化状態が正確に把握されやすい。
【００９１】
また、第１実施形態では、有機層８１の劣化状態を表示部１０の電流特性の劣化特性データＲIに基づいて把握するので、有機層８１の劣化状態を一層正確に把握しやすくすることができる。
また、第１実施形態では、把握された有機層８１の劣化状態を輝度特性の劣化特性データＲLに照合し、照合した輝度特性データＩＬにおいて、所定の駆動電流Ｉ0での劣化輝度を把握する。そして、この輝度特性データＩＬにおいて、所定の駆動電流Ｉ0での劣化前輝度である輝度Ｌ0が得られる電流と、所定の駆動電流Ｉ0との差ＩSを補正電流値として設定し、従前の駆動電流Ｉ0に補正電流値を加算して新たな駆動電流Ｉ0を設定する。このため、表示部１０の駆動電流Ｉ0を初期状態（０）での輝度Ｌ0が得られる電流値に近づけることができる。この結果、表示部１０の輝度Ｌを輝度Ｌ0に近づけやすくすることができ、表示部１０の表示画像を明るく維持しやすくすることができる。
【００９２】
ここで、第２実施形態について説明する。
第２実施形態の送受信システム２０は、ブロック図である図１０に示すように、クライアント装置３０を有している。
送受信システム２０は、図７に示す第１実施形態でのクライアント装置３が、図１０に示すクライアント装置３０に替えられていることを除いては、第１実施形態の送受信システム１と同様の構成を有している。従って、第２実施形態では、送受信システム２０の各構成のうちで送受信システム１と同じ構成については、第１実施形態と同一の符号を付して詳細な説明を省略し、第１実施形態と異なる点のみについて説明する。
【００９３】
クライアント装置３０は、図７に示す第１実施形態でのクライアント装置３の電圧検出部１３７が、図１０に示す電流検出部１７１に替えられていることを除いては、クライアント装置３と同様の構成を有している。
クライアント装置３０では、まず、ＣＰＵ１４３が表示コントローラ１３３にテスト表示の指令を出力する。このとき、ＣＰＵ１４３は、メモリ部１４５に格納されている駆動電圧データも表示コントローラ１３３に出力する。なお、駆動電圧データとは、表示部１０を駆動すべき所定の駆動電圧Ｖ0の値を示すデータである。
表示コントローラ１３３は、テスト表示の指令に基づいて、所定の駆動電圧Ｖ0で表示部１０を駆動する。このとき、表示コントローラ１３３は、表示部１０の表示領域５５内のすべての画素５３に駆動電圧Ｖ0が印加されるように表示部１０を駆動する。
【００９４】
次いで、ＣＰＵ１４３は、電流検出部１７１に電流検出の指令を出力する。電流検出部１７１は、この電流検出の指令に基づいて、各有機層８１に流れる電流Ｉを検出してから、電流Ｉを示す電流データをＣＰＵ１４３に出力する。
次いで、ＣＰＵ１４３は、送信部１３９に送信の指令を出力する。送信部１３９は、この送信の指令に基づいて、電流データと、表示部１０のＩＤ情報とを、サーバー装置５に向けて送信する。
【００９５】
サーバー装置５では、受信部１５３がクライアント装置３０から電流データと表示部１０のＩＤ情報とを受信すると、ＣＰＵ１６１がＩＤ情報を照合して表示部１０の機種に適合する特性データをデータ保管部１５７から読み込む。ＣＰＵ１６１が読み込んだ特性データは、メモリ部１６３のＲＡＭに展開される。
【００９６】
ここで、サーバー装置５のデータ保管部１５７には、図１１に示す電流特性の劣化特性データＲIと、図１２に示す輝度特性の劣化特性データＲVとが保管されている。
第２実施形態における輝度特性の劣化特性データＲVは、表示部１０の劣化状態ごとに収集された複数の輝度特性データＶＬが含まれている。輝度特性データＶＬは、有機層８１の電圧に対する輝度特性を示している。
【００９７】
次いで、ＣＰＵ１６１は、電流データを、図１１に示す電流特性の劣化特性データＲIに照合して、表示部１０の劣化状態を判定する。
次いで、ＣＰＵ１６１は、判定した表示部１０の劣化状態を、図１２に示す輝度特性の劣化特性データＲVに照合して、照合した輝度特性データＶＬから差ＶSを補正電圧値として算出する。
次いで、ＣＰＵ１６１は、送信部１５９に送信の指令を出力する。送信部１５９は、この送信の指令に基づいて、補正電圧値を示す補正データをクライアント装置３０に向けて送信する。
【００９８】
クライアント装置３０では、受信部１４１がサーバー装置５から補正データを受信すると、ＣＰＵ１４３が補正データをメモリ部１４５に格納する。
そして、ＣＰＵ１４３は、表示コントローラ１３３に表示部１０を駆動させるときに、メモリ部１４５から補正データを読み込んで、読み込んだ補正データを駆動電圧データに加算した新たな駆動電圧Ｖ0で表示部１０を駆動させる。
第２実施形態における送受信システム２０においても、第１実施形態と同様の効果が得られる。
【００９９】
ここで、３実施形態について説明する。
第３実施形態の送受信システム４０は、ブロック図である図１３に示すように、クライアント装置５０が表示部１０と入力装置１１とを有していることを除いては、第１実施形態の送受信システム１と同様の構成を有している。従って、第３実施形態では、送受信システム４０の各構成のうちで送受信システム１と同じ構成については、第１実施形態と同一の符号を付して詳細な説明を省略する。
【０１００】
クライアント装置５０としては、例えば図１４に示す携帯電話機などの電子機器５００が例として挙げられる。この場合、図１３に示すクライアント装置５０とサーバー装置５とは、無線通信によってデータの送受信が行われる。また、図１４に示す電子機器５００では、操作ボタン５１１が、図１３に示す入力装置１１に対応する。表示部１０は、操作ボタン５１１を介して入力された内容や着信情報などを始めとする様々な情報について表示することができる。
第３実施形態における送受信システム４０においても、第１実施形態と同様の効果が得られる。
【０１０１】
ここで、第４実施形態について説明する。
第４実施形態の送受信システム６０は、ブロック図である図１５に示すように、クライアント装置７０を有している。
送受信システム６０は、図１３に示す第３実施形態でのクライアント装置５０が、図１５に示すクライアント装置７０に替えられていることを除いては、第３実施形態の送受信システム４０と同様の構成を有している。従って、第４実施形態では、送受信システム６０の各構成のうちで送受信システム４０と同じ構成については、第３実施形態と同一の符号を付して詳細な説明を省略し、第３実施形態と異なる点のみについて説明する。
【０１０２】
クライアント装置７０は、図１３に示す第３実施形態でのクライアント装置５０の電圧検出部１３７が、図１５に示す電流検出部１７１に替えられていることを除いては、クライアント装置５０と同様の構成を有している。
また、電流検出部１７１は、図１０に示す第２実施形態における電流検出部１７１と同様の構成である。
また、図１５に示すサーバー装置５のデータ保管部１５７には、図１１に示す電流特性の劣化特性データＲIと、図１２に示す輝度特性の劣化特性データＲVとが保管されている。
【０１０３】
サーバー装置５のＣＰＵ１６１は、クライアント装置７０から受信した電流データを、図１１に示す電流特性の劣化特性データＲIに照合して、表示部１０の劣化状態を判定する。
次いで、ＣＰＵ１６１は、判定した表示部１０の劣化状態を、図１２に示す輝度特性の劣化特性データＲVに照合して、照合した輝度特性データＶＬから差ＶSを補正電圧値として算出する。
【０１０４】
クライアント装置７０では、受信部１４１がサーバー装置５から補正データを受信すると、ＣＰＵ１４３が補正データをメモリ部１４５に格納する。
そして、ＣＰＵ１４３は、表示コントローラ１３３に表示部１０を駆動させるときに、メモリ部１４５から補正データを読み込んで、読み込んだ補正データを駆動電圧データに加算した新たな駆動電圧Ｖ0で表示部１０を駆動させる。
第４実施形態における送受信システム６０においても、第１実施形態〜第３実施形態のそれぞれと同様の効果が得られる。
【０１０５】
なお、第１実施形態〜第４実施形態のそれぞれにおいて、クライアント装置３，３０，５０及び７０のそれぞれが補正データを取得するタイミングとしては、種々のタイミングが採用され得る。
例えば、クライアント装置３，３０，５０及び７０のそれぞれが補正データを取得するタイミングとしては、表示部１０の電源がオフ状態からオン状態に変化するタイミングや、所定の期間ごとや、表示部１０が表示を行っている所定時間ごとなどや、これらを組み合わせたタイミングなどが採用され得る。
【０１０６】
なお、第１実施形態〜第４実施形態では、それぞれ、表示部１０として、有機層８１からの光を封止基板６３を介して表示面５１から射出するトップエミッション型の有機ＥＬ装置を例に説明したが、有機ＥＬ装置はこれに限定されない。有機ＥＬ装置は、有機層８１からの光を素子基板６１を介して底面６５から射出するボトムエミッション型も採用され得る。
ボトムエミッション型の場合、有機層８１からの光が底面６５から射出されるので、底面６５側に表示面５１が設定される。つまり、ボトムエミッション型では、表示部１０の底面６５と表示面５１とが入れ替わる。そして、ボトムエミッション型では、底面６５側が上側に対応し、表示面５１側が下側に対応する。
【０１０７】
また、第１実施形態〜第４実施形態では、それぞれ、テスト表示において、表示領域５５内のすべての画素５３に通電した状態で各有機層８１にかかる電圧Ｖや、各有機層８１に流れる電流Ｉを検出する場合を例に説明したが、電圧Ｖや電流Ｉの検出はこれに限定されない。電圧Ｖや電流Ｉの検出としては、例えば、画素５３ｒ、画素５３ｇ及び画素５３ｂのそれぞれごとに検出する方法も採用され得る。
【０１０８】
電圧Ｖや電流Ｉを画素５３ｒ、画素５３ｇ及び画素５３ｂのそれぞれごとに検出すれば、画素５３ｒ、画素５３ｇ及び画素５３ｂのそれぞれごとに補正データを設定することができる。これにより、画素５３ｒ、画素５３ｇ及び画素５３ｂのそれぞれごとに劣化状態が異なっていても、画素５３ｒ、画素５３ｇ及び画素５３ｂのそれぞれごとに適正な輝度Ｌに補正しやすくすることができる。
【０１０９】
また、第１実施形態〜第４実施形態では、それぞれ、サーバー装置５が表示部１０に関する特性データを保有し、且つサーバー装置５が補正データを生成する場合を例に説明したが、補正データの生成はこれに限定されない。補正データの生成としては、例えば、各クライアント装置３，３０，５０及び７０に生成させる方法も採用され得る。
【０１１０】
この場合、表示部１０に関する特性データは、各クライアント装置３，３０，５０及び７０のメモリ部１４５に格納される。そして、ＣＰＵ１４３が、メモリ部１４５に格納されている特性データを読み込んで、読み込んだ特性データ及び電圧データや電流データに基づいて補正データを生成する。
各クライアント装置３，３０，５０及び７０が補正データを生成する構成では、サーバー装置５を省略することができる。また、この構成では、各クライアント装置３，３０，５０及び７０における送信部１３９及び受信部１４１を省略することができる。
【０１１１】
他方で、サーバー装置５が表示部１０に関する特性データを保有し、且つサーバー装置５が補正データを生成する送受信システム１，２０，４０及び６０では、それぞれ、新たな特性データや、新たな駆動方法に関するプログラムなどをサーバー装置５に随時追加したり更新したりすることができる。
また、広く市場に出回った多くの表示部１０に関する劣化状態のデータを広くフィールドデータとして収集することができ、表示部１０に関する改良の促進に寄与することができる。
これらの点で、サーバー装置５が表示部１０に関する特性データを保有し、且つサーバー装置５が補正データを生成することは、好ましい。
【図面の簡単な説明】
【０１１２】
【図１】第１実施形態における送受信システムの概略の構成を説明する図。
【図２】本実施形態における表示部を示す平面図。
【図３】図２中のＡ−Ａ線における断面図。
【図４】本実施形態における表示部の複数の画素の一部を示す平面図。
【図５】本実施形態における表示部の回路構成を示す図。
【図６】図４中のＣ−Ｃ線における断面図。
【図７】第１実施形態における送受信システムの概略の構成を説明するブロック図。
【図８】第１実施形態における電流特性の劣化特性データの例を示す図。
【図９】第１実施形態における輝度特性の劣化特性データの例を示す図。
【図１０】第２実施形態における送受信システムの概略の構成を説明するブロック図。
【図１１】第２実施形態における電流特性の劣化特性データの例を示す図。
【図１２】第２実施形態における輝度特性の劣化特性データの例を示す図。
【図１３】第３実施形態における送受信システムの概略の構成を説明するブロック図。
【図１４】本実施形態における表示部が適用された電子機器の斜視図。
【図１５】第４実施形態における送受信システムの概略の構成を説明するブロック図。
【符号の説明】
【０１１３】
１，２０，４０，６０…送受信システム、３，３０，５０，７０…クライアント装置、５…サーバー装置、７…通信回線、９…表示装置、１０…表示部、５１…表示面、５３…画素、５５…表示領域、６１…素子基板、６３…封止基板、７７…有機ＥＬ素子、７９…画素電極、８１…有機層、８３…共通電極、９１…第１基板、１１５…正孔注入層、１１７…正孔輸送層、１１９…発光層、１３１…制御部、１３７…電圧検出部、１３９…送信部、１４１…受信部、１４３…ＣＰＵ、１４５…メモリ部、１５１…制御部、１５３…受信部、１５９…送信部、１６１…ＣＰＵ、１６３…メモリ部、１７１…電流検出部、５００…電子機器、ＶＩ…電流特性データ、ＩＬ…輝度特性データ、ＶＬ…輝度特性データ、ＲI…電流特性の劣化特性データ、ＲL…輝度特性の劣化特性データ、ＲV…輝度特性の劣化特性データ。
【図１】
2009251333.tif 000006
【図２】
2009251333.tif 000007
【図３】
2009251333.tif 000008
【図４】
2009251333.tif 000009
【図５】
2009251333.tif 000010
【図６】
2009251333.tif 000011
【図７】
2009251333.tif 000012
【図８】
2009251333.tif 000013
【図９】
2009251333.tif 000014
【図１０】
2009251333.tif 000015
【図１１】
2009251333.tif 000016
【図１２】
2009251333.tif 000017
【図１３】
2009251333.tif 000018
【図１４】
2009251333.tif 000019
【図１５】
2009251333.tif 000020